(57)【要約】【課題】ディスクカートリッジの適正な姿勢での挿入を助長するような機能を扉に担わせるようにしたディスク装置及びこれを備えたカメラを提供すること。【解決手段】筐体４ｂと、挿入口１０と、挿入口１０を閉塞する閉位置へと付勢され、筐体４ｂ内部の装填部２４側に傾動することで挿入口１０を開放し、閉位置では内表面を装填部２４側に向けている扉１２とを備えたディスク装置において、筐体４ｂの内壁面に、傾動される扉１２の内表面と当接して扉１２の傾動の程度を規制するストッパ部材３０ａ（３０ｂ）を設けた。【選択図】        図６
2004310838.tif 000002
【特許請求の範囲】
【請求項１】
筐体と、
前記筐体に開口された挿入口と、
前記筐体の内部に配設され、前記挿入口から挿入されるディスクカートリッジを収容可能な装填部と、
前記挿入口を閉塞する閉位置へと付勢され、前記筐体の内部に傾動することで前記挿入口を開放し、前記閉位置では内表面を前記装填部側に向けている扉とを備えたディスク装置において、
前記扉が傾動された状態で、前記扉の前記内表面と、前記内表面と対向する前記筐体内部の内壁面との間に、前記扉の傾動の程度を規制するストッパ部材を介在させた
ことを特徴とするディスク装置。
【請求項２】
前記ストッパ部材を、前記筐体の前記内壁面に、前記傾動される前記扉の前記内表面と当接可能に設けた
とを特徴とする請求項１に記載のディスク装置。
【請求項３】
前記筐体の内部には前記挿入口から挿入される前記ディスクカートリッジを保持する保持手段が配設されており、
前記ストッパ部材によって前記扉の傾動が規制された状態で、傾動中心と反対側の前記扉の先端部が前記保持手段上に位置するように前記扉が傾けられる
ことを特徴とする請求項１に記載のディスク装置。
【請求項４】
請求項１乃至請求項３の何れかに記載のディスク装置を備えたカメラ。
【発明の詳細な説明】
【０００１】
【発明の属する技術分野】
本発明は、ディスクカートリッジの挿入時に、挿入口を開閉する扉が傾動することで挿入口からのディスクカートリッジの挿入を可能にする構造のディスク装置及びこれを備えたカメラに関し、更に詳しくは、扉の傾動の程度を規制してディスクカートリッジの挿入口への挿入動作を適正に行えるようにしたディスク装置及びこれを備えたカメラに関する。
【０００２】
【従来の技術】
従来より、撮像したデータを、書き込み可能なディスク状記録媒体に記録するためのディスク装置を備えたカメラ一体型記録再生装置（以下、単にカメラと呼ぶ）が知られている。例えば、特許文献１、２に示されている。
【０００３】
【特許文献１】
特開２００１−１０１８５５号公報
【０００４】
【特許文献２】
特開２００１−１０１６７５号公報
【０００５】
このようなカメラに備えられたディスク装置においては、ディスクカートリッジ挿脱時の本体内部の露出を極力抑えるため、筐体に開口された細長い挿入口を介してディスクカートリッジの挿脱を行う構成が通常よく採用されている。また、挿入口にはこれを開閉する扉が設けられる。
【０００６】
図７に示すように、そのような扉５２は、ヒンジ機構ｈを介して筐体５４に取り付けられ、図示しないねじりコイルばねによって挿入口１０を閉塞する閉位置へと付勢されている。そして、ディスクカートリッジ８の挿入時には、ディスクカートリッジ８によって押されて筐体５４の内部へと傾動して挿入口１０からのディスクカートリッジ８の挿入を可能にする。
【０００７】
【発明が解決しようとする課題】
筐体５４の内部にはディスクカートリッジ８を装填部へと装填させるための保持手段としてローダー２０が配設されている。ローダー２０は筐体５４内部で、上下動及び左右方向に移動可能にされている。したがって、このローダー２０の移動を可能とするため、挿入口１０の下方には挿入口１０の幅（短手方向の長さ）よりも大きな空間が形成され、図示のように挿入口１０より挿入されるディスクカートリッジ８の大きな傾きを許容するような構造となっている。
【０００８】
このような構造において、従来は、扉５２の傾動の程度には制限がなく、扉５２の内表面が筐体５４の内壁面に当接するまで扉５２は傾動可能であった。これでは、図７に示すように、ディスクカートリッジ８の大きく傾いた挿入を許してしまい、ディスクカートリッジ８やローダー２０に大きな負荷をかけてしまう。場合によってはディスクカートリッジ８の装填不良を生じさせてしまう。
【０００９】
本発明は上述の問題に鑑みてなされ、その目的とするところは、ディスクカートリッジの適正な姿勢での挿入を助長するような機能を扉に担わせるようにしたディスク装置及びこれを備えたカメラを提供することにある。
【００１０】
【課題を解決するための手段】
以上の課題を解決するにあたり、本発明のディスク装置では、筐体に開口された挿入口を開閉する扉が傾動された状態で、閉位置で筐体の内部に配設された装填部側に向けている扉の内表面と、この内表面と対向する筐体内部の内壁面との間に、扉の傾動の程度を規制するストッパ部材を介在させたことを特徴としている。
【００１１】
ストッパ部材は扉の傾動の程度を制限して、挿入口のすぐ下に、挿入口より挿入されるディスクカートリッジの大きな傾きを許容するような必要以上に大きな空間が形成されないようにする。これにより、ディスクカートリッジが大きく傾いた状態で挿入口から挿入されるのを防いで装填不良を防止する。また、傾動の程度が制限された扉の外表面にディスクカートリッジの端部を当接させながら挿入させれば、適正な姿勢によるディスクカートリッジ挿入動作の円滑なガイド作用も得られる。
【００１２】
ストッパ部材は、筐体の内壁面に設けてもよいし、扉の内表面に設けてもよい。ただし、扉の内表面に設けると、扉がストッパ部材と一体的に閉位置と開位置との間を傾動されるので、その傾動動作に際して、扉内表面から突出するストッパ部材が筐体内部の構成部品と干渉しないようにする必要がある。
【００１３】
ストッパ部材を、傾動される扉の内表面と当接可能に筐体の内壁面に設ければ、扉の傾動に際してストッパ部材は筐体に固定されたままであるので、筐体内部において挿入口下方には扉のみの傾動を許容する空間だけを確保すればよい。
【００１４】
また、本発明のディスク装置では、筐体の内部には挿入口から挿入されるディスクカートリッジを保持する保持手段が配設されており、上記ストッパ部材によって扉の傾動が規制された状態で、傾動中心と反対側の扉の先端部が保持手段上に位置するように扉が傾けられることを特徴としている。
【００１５】
このような構成では、傾動された扉の外表面が保持手段側に向けられて傾斜するので、この傾斜面にディスクカートリッジの端部を沿わせて挿入すれば、ディスクカートリッジを保持手段へと円滑に導くことができる。この結果、ディスクカートリッジの装填不良の防止が図れると共に、ディスクカートリッジや保持手段にも大きな負荷がかかることを防げる。
【００１６】
本発明のカメラは上述したディスク装置を備えていることを特徴としている。すなわち、本発明のカメラでは、撮像されたデータは、上記ディスク装置の装填部に装填されたディスクカートリッジ内のディスク状記録媒体に記録可能となっている。
【００１７】
また、本発明でディスクカートリッジとは、扁平状のカートリッジ内に形成される空間内に１枚のディスク状記録媒体（光ディスク、光磁気ディスク、磁気ディスク）が回転可能に収容された構造に限らず、ケーシング内に１枚あるいは複数枚の磁気ディスクと、この磁気ディスクに対する読み書きを行う磁気ヘッドを収容した構造のもの（いわゆる可搬性のハードディスク）も含む。
【００１８】
【発明の実施の形態】
以下、本発明の一例としての実施の形態に係るディスク装置及びこのディスク装置を備えたカメラついて図面を参照して説明する。
【００１９】
（カメラの全体構成）
図１は、本発明の一つの実施形態としてのカメラ１の外観斜視図を示す。カメラ１は、大別して本体３とレンズ２からなる。本体３の筺体４内には、レンズ２によって結像された光学情報を電気信号に変換する撮像素子や各種信号処理回路、更には前記電気信号をデジタル化したデータをディスク状記録媒体に光学的に記録・再生するディスク装置が内蔵されている。
【００２０】
以下、ディスク装置について説明する。
【００２１】
（装填部の構成）
ディスク装置は、図１においてカメラ本体３の右側面側に内蔵されている。図４は、右側面筐体４ｂが本体３から取り外され、ディスク装置の装填部２４が露出された状態を示す。装填部２４は、チャッキングテーブル１９、光ピックアップ（図示省略）、枠体２１、ローダー２０などを１つのユニットとして構成される。装填部２４の４隅には外方へ張り出した取付部２３が設けられており、この取付部２３にねじ２２が通されて、装填部２４が筐体４に対して取り付けられる。
【００２２】
以上の装填部２４の他に、ディスクカートリッジを装填部２４へと挿入するための挿入口と、この挿入口を開閉する扉と、挿入口を覆うようにして密閉可能な蓋と、この蓋の閉位置を保持するロック部材などを備えて本実施の形態に係るディスク装置が構成される。
【００２３】
（挿入口付近の構造）
図２は挿入口１０付近の斜視図を示す。カメラ本体３の上面筐体４ａと右側面筐体４ｂとの接続部に、これら筐体４ａ、４ｂの他の外表面よりくぼんだ挿入口形成面９が形成されている。この挿入口形成面９に、カメラ本体３の前後方向に細長く延在する挿入口１０が開口されている。
【００２４】
上面筐体４ａに対して右側面筐体４ｂは例えばねじ止めにて取り付けられるが、この際、上面筐体４ａに形成された略コ字状の切欠き１０ａと右側面筐体４ｂに形成された略コ字状の切欠き１０ｂどうしを向き合わせるようにすることで、略長方形状の挿入口１０が得られる。
【００２５】
挿入口１０の長さは、挿入すべきディスクカートリッジ８の幅よりわずかに大きく、挿入口１０の幅はディスクカートリッジ８の厚さよりわずかに大きくされており、挿入口１０を介してのディスクカートリッジ８の装填部２４への挿入あるいは取出を可能としている。
【００２６】
（蓋の構造）
右側面筐体４ｂには、挿入口１０を含む挿入口形成面９全体を覆う閉位置（図１の状態）と、挿入口１０及び挿入口形成面９を開放する開位置（図２の状態）との間を回動可能な蓋５が取り付けられている。蓋５において挿入口形成面９と向き合う内面側には、右側面筐体４ｂを貫通するヒンジ１１ａの一端部が連結されている。蓋５は図示しないねじりコイルばねにて挿入口形成面９を開放する方向に付勢されている。
【００２７】
挿入口形成面９において内方寄りの箇所にはＬ字状のロック部材５８ａ、５８ｂが配設されており、蓋５の内表面には、蓋５が閉位置となったときにロック部材５８ａ、５８ｂと係合可能な金具（図示せず）が取り付けられている。
【００２８】
（扉の構造）
図５は右側面筐体４ｂの内面側（装填部２４に向き合う側）を示す。上記挿入口１０の半分を構成するコ字状の切欠き１０ｂの縁部裏面には、軸部材２６、ねじりコイルばね２５などから構成されるヒンジ機構を介して、挿入口１０の大きさよりも大きな長方形状の扉１２が取り付けられている。
【００２９】
軸部材２６は扉１２の長手方向に沿って延在し、筐体４ｂの内面に取り付けられた軸受部材２７ａ、２７ｂに一体的に形成された軸受部２８を貫通している。更に、軸部材２６は、扉１２の内表面に一体的に形成された軸受部４０も貫通している。これによって、扉１２は軸部材２６を中心に、挿入口１０を閉塞する閉位置と、筐体４ｂの内面側に傾動して挿入口１０を開放する開位置との間で回動自在となっている。
【００３０】
また、軸部材２６において、軸受部材２７ａの両軸受部２８間の部分にはねじりコイルばね２５が巻回されている。ねじりコイルばね２５の一端部は軸受部２８に掛止され、他端部は扉１２の内表面に当接して、扉１２を閉位置へと付勢している。なお、扉１２はその外表面上の一部の縁部を切欠き１０ｂの縁部裏面に当接させてそれ以上の回動が規制されている。
【００３１】
また、筐体４ｂの内面において、軸受部材２７ａ、２７ｂの間には、２つのストッパ部材３０ａ、３０ｂが筐体４ｂの内面から突出したリブとして設けられている。
【００３２】
ストッパ部材３０ａ、３０ｂは、図６に示すように、挿入口１０から、挿入口１０の下方に配設されたローダー２０に向かう方向に関して徐々に突出厚さが厚くされている断面台形状（あるいは三角形状でもよい）を呈している。
【００３３】
ローダー２０は、挿入口１０より挿入されたディスクカートリッジ８を保持して装填部２４へと装填させる保持手段として機能する。ローダー２０は上下方向及び左右方向（装填部２４のチャッキングテーブル１９に対して近づいたり遠ざかる方向）に移動可能となっている。したがって、筐体４ｂ内にはそのローダー２０の移動を許容する空間が確保され、挿入口１０の下方には挿入口１０の開口面積よりも大きな広がりの空間が存在する。
【００３４】
ストッパ部材３０ａ、３０ｂが、挿入口１０からローダー２０に向かう方向にかけて断面台形状を呈していることで、ストッパ部材３０ａ、３０ｂにおいて、扉１２の内表面と当接する部分は、鉛直方向からローダー２０側に傾いた傾斜面となっている。
【００３５】
これにより、扉１２の先端部（ヒンジ機構と反対側の端部）は、筐体４ｂの内壁面から離れたローダー２０上に位置される。
【００３６】
（ディスクカートリッジ８の挿入口１０からの挿入動作）
図１に示す蓋５が閉じられた状態から上面筐体４ａに形成された取出ボタン６を押すと、図２に示すロック部材５８ａ、５８ｂと蓋５との係合が解除され、蓋５は図示しないねじりコイルばねの付勢力にて挿入口形成面９を開放する。
【００３７】
そして、図３に示すように、ディスクカートリッジ８の端部を扉１２の外表面に当接させてディスクカートリッジ８を挿入口１０から挿入する。扉１２はディスクカートリッジ８の端部でその外表面が押されて、図５に示すねじりコイルばね２５の付勢力に抗して軸部材２６を中心として筐体４ｂの内部へと傾動する。これにより、挿入口１０が開放され挿入口１０からのディスクカートリッジ８の挿入が可能となる。
【００３８】
このとき、図６に示すように、ストッパ部材３０ａ（３０ｂ）の傾斜面に、傾動した扉１２の内表面が当接してそれ以上の扉１２の傾動が規制される。これによって、扉１２の外表面に当接されるディスクカートリッジ８の端部の筐体４ｂ内壁面側への移動が規制され、ディスクカートリッジ８の傾きを抑えることができる。
【００３９】
更に、ディスクカートリッジ８の端部は、図６で一点鎖線、二点鎖線、実線で示される順番にて、扉１２の外表面上における当接位置を変化させていく。扉１２の外表面は、ストッパ部材３０ａ（３０ｂ）の傾斜面に沿ってローダー２０へと向けて傾斜しており、したがって、ディスクカートリッジ８の端部をその傾斜した扉１２の外表面に当接させながら挿入することで、奥へと挿入されるにしたがってディスクカートリッジ８は垂直に近い姿勢へと立てられるようにその姿勢が矯正される。
【００４０】
この結果、ローダー２０に対して位置ずれを起こすことなくまた斜めの姿勢でローダー２０に対して大きな負荷をかけることなくディスクカートリッジ８の円滑な挿入動作を行うことができる。
【００４１】
以上、本発明の実施の形態について説明したが、勿論、本発明はこれに限定されることなく、本発明の技術的思想に基づいて種々の変形が可能である。
【００４２】
図６に示すストッパ部材３０ａ（３０ｂ）は扉１２の内表面に設けてもよい。この場合、扉１２の傾動動作の妨げにならないように、ストッパ部材３０ａは、扉１２の先端部よりはみ出ないようにするなど、厚さや幅を設計するようにする。
【００４３】
また、図５に示す２つのストッパ部材３０ａ、３０ｂのうち一方を筐体４ｂの内面に、他方を扉１２の内表面に設ける構成としてもよい。この場合、両方のストッパ部材３０ａ、３０ｂの突出厚さを等しくして、扉１２が当接したときに扉１２に歪みが生じないようにすることが望ましい。また、ストッパ部材を扉１２の長手方向に沿って連続的に延在させて設けてもよい。
【００４４】
【発明の効果】
以上述べたように、本発明によれば、ディスクカートリッジの挿入口を開閉する扉の傾動の程度を規制するストッパ部材を設けることで、極端に傾いたディスクカートリッジの挿入によって生じるディスクカートリッジや、ローダーへの負荷を軽減できる。更に、傾動が規制された扉自体がディスクカートリッジの適正な姿勢による挿入のガイド部材としての機能を担い、ディスクカートリッジの円滑な挿入が行える。
【図面の簡単な説明】
【図１】本発明の実施の形態に係るカメラの外観斜視図である。
【図２】同実施の形態においてディスクカートリッジ挿入口付近の拡大斜視図である。
【図３】同実施の形態に係る挿入口にディスクカートリッジが挿入されようとしている状態を示す斜視図である。
【図４】同実施の形態に係る装填部の概略平面図である。
【図５】同実施の形態に係る扉の内表面側の斜視図である。
【図６】同実施の形態に係る扉の傾動動作を説明する模式図である。
【図７】従来例の扉の傾動動作を説明する模式図である。
【符号の説明】
１…カメラ、２…レンズ、３…本体、４，４ａ，４ｂ…筐体、５…蓋、８…ディスクカートリッジ、９…挿入口形成面、１０…挿入口、１０ａ，１０ｂ…切欠き、１２…扉、２０…保持手段、２４…装填部、２５…ねじりコイルばね、３０ａ，３０ｂ…ストッパ部材。
【図１】
2004310838.tif 000003
【図２】
2004310838.tif 000004
【図３】
2004310838.tif 000005
【図４】
2004310838.tif 000006
【図５】
2004310838.tif 000007
【図６】
2004310838.tif 000008
【図７】
2004310838.tif 000009